【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
サブフィールド点灯枠と、サブフィールドを形成するサブフィールド点灯領域とを設け、表示素子の点灯制御を行う点灯制御部と、映像コントローラから受信した映像データを前記点灯制御部に伝送する映像受信部と、前記映像受信部が受信した映像データを表示する映像表示部と、前記映像表示部に配置した複数の前記表示素子を一定の点灯強度で駆動する駆動回路と、前記映像表示部および前記駆動回路に電力を供給する駆動用電力供給部と、前記点灯制御部および前記映像受信部に電力を供給する制御用電力供給部を備え、
前記点灯制御部は、前記サブフィールド点灯領域を前記サブフィールド点灯枠内でランダムに移動させて映像表示を行うことを特徴とする映像表示装置。
【請求項２】
前記表示素子を一定の点灯強度で駆動する駆動回路に代えて、前記点灯制御部からの制御により単位時間当たりの点灯強度を変えることができる駆動回路を備え、
前記点灯制御部は、前記サブフィールド点灯領域を前記サブフィールド点灯枠内でランダムに移動させ、かつ前記サブフィールド点灯領域の長さに応じて前記サブフィールドごとの表示輝度を一定に保つように、前記単位時間当りの点灯強度を補正して映像表示を行うことを特徴とする請求項１に記載の映像表示装置。
【請求項３】
前記点灯制御部は、前記サブフィールド点灯領域の中心位置を前記サブフィールド点灯枠の中心に固定して前記サブフィールド点灯領域の長さをランダムに変化させ、かつ、前記サブフィールド点灯領域の長さに応じて前記サブフィールドごとの点灯強度を一定に保つように、前記単位時間当りの点灯強度を補正して映像表示を行うことを特徴とする請求項２に記載の映像表示装置。
【請求項４】
それぞれのフィールドが複数のサブフィールドを有する映像表示装置であって、
表示素子の点灯制御を行う点灯制御部と、映像コントローラから受信した映像データを前記点灯制御部に伝送する映像受信部と、前記映像受信部が受信した映像データを表示する映像表示部と、前記映像表示部に配置した複数の前記表示素子を一定の点灯強度で駆動する駆動回路と、前記映像表示部および前記駆動回路に電力を供給する駆動用電力供給部と、前記点灯制御部および前記映像受信部に電力を供給する制御用電力供給部を備え、
前記点灯制御部は、前記フィールドごとに前記各サブフィールド間のサブブランク期間の長さをランダムに設定するが、前記各サブフィールドの時間と前記各サブブランク期間
の合計が前記フィールド自体の長さよりも短くなるように設定して映像表示を行うことを特徴とする映像表示装置。
【請求項５】
前記表示素子を一定の点灯強度で駆動する駆動回路に代えて、前記点灯制御部からの制御により単位時間当たりの点灯強度を変えることができる駆動回路を備え、
前記点灯制御部は、前記フィールドごとに点灯領域である前記サブフィールドの長さをランダムに設定し、前記サブフィールドの長さと前記サブブランク期間の長さの合計が前記フィールド自体の長さよりも短くなるように設定し、前記サブフィールドごとにその時間長さに応じて点灯強度を補正して前記フィールドごとの点灯強度を一定に保って映像表示を行うことを特徴とする請求項４に記載の映像表示装置。
【請求項６】
前記それぞれのフィールドが個数の異なる複数のサブフィールドを有し、
前記点灯制御部は、前記フィールドごとに前記サブフィールドの個数を切り替えて映像表示を行うことを特徴とする請求項４に記載の映像表示装置。
【手続補正２】
【補正対象書類名】明細書
【補正対象項目名】０００９
【補正方法】変更
【補正の内容】
【０００９】
この発明は、上記のような問題を解決するためになされたものであり、サブフィールド内での点灯開始のタイミングをランダムにずらすことにより、各サブフィールドにおいて電源部のコイルやコンデンサに印加する電流パルスの周期性を弱めてコイルやコンデンサの振動周期の周期性を弱め、電源部のコイルやコンデンサの振動に起因して発生する騒音を抑制することができる映像表示装置を提供する目的とする。
【手続補正３】
【補正対象書類名】明細書
【補正対象項目名】００１０
【補正方法】変更
【補正の内容】
【００１０】
この発明に係る映像表示装置は、サブフィールド点灯枠と、サブフィールドを形成するサブフィールド点灯領域とを設け、表示素子の点灯制御を行う点灯制御部と、映像コントローラから受信した映像データを前記点灯制御部に伝送する映像受信部と、前記映像受信部が受信した映像データを表示する映像表示部と、前記映像表示部に配置した複数の前記表示素子を一定の点灯強度で駆動する駆動回路と、前記映像表示部および前記駆動回路に電力を供給する駆動用電力供給部と、前記点灯制御部および前記映像受信部に電力を供給する制御用電力供給部を備え、前記点灯制御部は、前記サブフィールド点灯領域を前記サブフィールド点灯枠内でランダムに移動させて映像表示を行うものである。
また、この発明に係る別の映像表示装置は、それぞれのフィールドが複数のサブフィールドを有する映像表示装置であって、表示素子の点灯制御を行う点灯制御部と、映像コントローラから受信した映像データを前記点灯制御部に伝送する映像受信部と、前記映像受信部が受信した映像データを表示する映像表示部と、前記映像表示部に配置した複数の前記表示素子を一定の点灯強度で駆動する駆動回路と、前記映像表示部および前記駆動回路に電力を供給する駆動用電力供給部と、前記点灯制御部および前記映像受信部に電力を供給する制御用電力供給部を備え、前記点灯制御部は、前記フィールドごとに前記各サブフィールド間のサブブランク期間の長さをランダムに設定するが、前記各サブフィールドの時間と前記各サブブランク期間の合計が前記フィールド自体の長さよりも短くなるように
設定して映像表示を行うものである。
【手続補正４】
【補正対象書類名】明細書
【補正対象項目名】００１８
【補正方法】変更
【補正の内容】
【００１８】
実施の形態１では、サブフィールド点灯領域２１の点灯制御開始時間Ｔ１のランダムな制御により、サブフィールド開始点から次のサブフィールド開始点までの時間間隔が一定でなくなる。
そのため、各サブフィールドにおいて、スイッチング電源である駆動回路２０２のコイルやコンデンサに印加する電流パルスの周期性が弱くなって、コイルやコンデンサの振動に起因して発生する騒音の周期性が弱まるので、人間が知覚する騒音レベルが低下する。
なお、この例では、サブフィールド点灯領域２１の移動ステップ制御を５段階で行う場合を示しているが、サブフィールド点灯領域２１の移動ステップは５段階に限定されるものではない。
【手続補正５】
【補正対象書類名】明細書
【補正対象項目名】００３８
【補正方法】変更
【補正の内容】
【００３８】
実施の形態４．
図９は、実施の形態４におけるフィールドとサブフィールドの関係を説明するための図であり、フィールド３１、サブフィールド３２、垂直同期信号３４、垂直同期信号ブランク期間３５および異なる時間幅のサブブランク期間３６の関係を模式的に示している。
実施の形態４においては、サブフィールド点灯枠は設けず、サブフィールド点灯領域はサブフィールド３２の領域になる。そして、点灯制御部２０４は、サブフィールド３２自体のフィールド３１内での時間位置を調整可能としたものであり、次のサブフィールド３２までの開始時間を調整可能としている。
サブフィールド３２間のサブブランク期間３６はランダムに設定されており、フィールド３１ごとにサブフィールド３２とサブフィールド間のサブブランク期間３６の組み合わせはランダムに選択されるが、フィールド３１を突き抜けないように、図１に示す実施の形態１の点灯制御部２０４にて決められた組み合わせで制御されている。
【手続補正６】
【補正対象書類名】明細書
【補正対象項目名】００４１
【補正方法】変更
【補正の内容】
【００４１】
実施の形態５．
図１０は、実施の形態５におけるフィールドとサブフィールドの関係を説明するための図であり、フィールド３１、サブフィールド３２、垂直同期信号３４、垂直同期信号ブランク期間３５および異なる時間幅のサブブランク期間３６の関係を模式的に示している。
実施の形態５における点灯制御部２１４は、サブフィールド点灯枠ではなくサブフィールド自体のフィールド内での時間位置と時間幅および各サブフィールドでの発光強度を調
整可能としたものであり、次のサブフィールドまでの点灯制御開始時間、時間幅および各サブフィールドの発光強度を調整可能としている。
フィールド３１ごとにサブフィールド３２の時間幅およびサブブランク期間３６の時間はランダムに選択されるが、フィールド３１を突き抜けないように、サブフィールド３２の時間幅とサブブランク期間３６の組み合わせは、図４に示す実施の形態２の点灯制御部２１４によって制御されている。
なお、実施の形態４と同様に、点灯制御部２１４に備えたマスタークロックにより駆動されるカウンタにて動作を定義している。
【手続補正７】
【補正対象書類名】明細書
【補正対象項目名】００４４
【補正方法】変更
【補正の内容】
【００４４】
実施の形態６．
図１１は、実施の形態６におけるフィールドとサブフィールドの関係を説明するための図であり、フィールド３１、サブフィールド３２、垂直同期信号３４およびサブフィールドごとで異なる時間幅のサブブランク期間３７、３８の関係を模式的に示している。
実施の形態６における図１に示す実施の形態１の点灯制御部２０４は、サブフィールド点灯枠ではなくサブフィールド３２自体のフィールド３１内での数を調整可能とするものであり、フィールド３１ごとにサブフィールドの個数を変更する。例えば、図１１に示した例では、フィールドごとに、４サブフィールド構成と５サブフィールド構成を切り替えている。
なお、図１１において、３７はフィールドを４等分した場合の同じ時間幅のサブブランク期間、３８はフィールドを５等分した場合の同じ時間幅のサブブランク期間である。
実施の形態１〜５と異なり、フィールドごとにサブフィールドの個数をきり替える必要が有るが、ブランキング枠を確保する必要がなく、電流が流れる周期の時間軸上での分散、騒音スペクトラムの分散がより大きな幅にできる利点がある。スペクトラムの拡散が大となれば、より騒音発生の抑制に効果が出る。